(57)【特許請求の範囲】
【請求項１】
ディスクプレーヤーの本体にディスクの着脱位置とディスクの再生位置との間を摺動変位可能に設けられているとともにディスクの回転駆動装置が搭載され、且つ着脱位置方向へ排出用スプリングにより付勢されている摺動基板と、該摺動基板に動作位置と非動作位置との間を変位可能に設けられているとともに摺動基板が再生位置にあるとき動作位置に変位せしめられる制御板と、前記制御板によりロック動作の可否が制御されるとともに該制御板が動作位置に変位したときロック位置に変位し、本体に設けられているロックピンと係合するロック部が形成されているロック部材と、該ロック部材と連結されているとともに該ロック部材がロック位置に変位したとき磁石に吸着される吸着部材とより成り、前記磁石の前記吸着部材に対する吸着力により前記ロック部材による摺動基板の再生位置におけるロック保持動作を行うようにしたことを特徴とするディスクプレーヤーのディスク装着装置。
【請求項２】
磁石の近傍に電磁コイルを設け、該電磁コイルへの通電による前記磁石の吸着力の低減によりロック部材による摺動基板のロック保持動作を解除するようにしたことを特徴とする請求項１に記載のディスク装着装置。
【請求項３】
ロック部材に外部より挿入される解除部材により押圧される押圧片を設け、該押圧片への押圧力によりロック部材による摺動基板のロック保持動作を解除するようにしたことを特徴とする請求項１に記載のディスク装着装置。
【請求項４】
ロック部材を回動可能に支持するとともに吸着部材と連結されている一端の反対側の端部にバランス用の錘を設けたことを特徴とする請求項１に記載のディスク装着装置。
【請求項５】
制御板を非動作位置方向へ付勢するスプリングを設けるとともに該制御板の動作位置への変位動作を本体に設けられている制御突部との当接により行うようにしたことを特徴とする請求項１に記載のディスク装着装置。
【発明の詳細な説明】
【０００１】
【発明の属する技術分野】
本発明は、ディスクプレーヤーに関し、特に本体に対してディスクの着脱位置と再生位置との間を変位可能に設けられている摺動基板を備えたディスクプレーヤーのディスク装着装置に係る。
【０００２】
【従来の技術】
光学式ピックアップを用いてディスクに記録されている信号の読み取り動作を行うように構成された光学式ディスクプレーヤーが普及しているが、斯かるディスクプレーヤーは、ディスクが載置されるとともに該ディスクを回転させるターンテーブルを備えている。
【０００３】
光学式ディスクプレーヤーの代表的なものとしては、ＣＤプレーヤーが一般に良く知られているが、斯かるＣＤプレーヤーの中には、ヘッドフォンによって再生音を聴取するように構成されたヘッドフォンステレオ型のポータブルＣＤプレーヤーがある。また、最近ではコンピューターと組み合わせて使用するＣＤ−ＲＯＭプレーヤーが普及している。
【０００４】
【発明が解決しようとする課題】
ノート型と呼ばれるコンピューターは、携帯して使用されるため、軽量化及び薄型化が行われており、その結果該コンピューターの本体に組み込まれるＣＤ−ＲＯＭプレーヤーも軽量化、薄型化及び小型化が要求されている。斯かるコンピューターに組み込まれるディスクプレーヤーは、コンピューターの内部に固定される本体と該本体に対してディスクの着脱動作を行う着脱位置と再生動作を行う再生位置との間を変位可能に設けられた摺動基板とより構成されている。
【０００５】
前記摺動基板は、再生位置に手動により変位せしめられたとき、その再生位置にロック保持されるとともにロック解除動作によって着脱位置に変位するように構成されており、斯かる技術として特開平９−４４９５５号公報に記載されたものがある。
【０００６】
斯かる技術において、摺動基板の再生位置におけるロック解除動作はソレノイドプランジャーの吸引力によって行っているため、小さなプランジャーを使用する場合には大きな電流が必要であり、小さな電流により吸引させる場合には、プランジャーの形状が大きくなるという問題がある。
【０００７】
本発明は、斯かる問題を解決したディスクプレーヤーのディスク装着装置を提供しようとするものである。
【０００８】
【課題を解決するための手段】
本発明のディスク装着装置は、ディスクプレーヤーの本体にディスクの着脱位置とディスクの再生位置との間を摺動変位可能に設けられているとともにディスクの回転駆動装置が搭載され、且つ着脱位置方向へ排出用スプリングにより付勢されている摺動基板と、該摺動基板に動作位置と非動作位置との間を変位可能に設けられているとともに摺動基板が再生位置にあるとき動作位置に変位せしめられる制御板と、前記制御板によりロック動作の可否が制御されるとともに該制御板が動作位置に変位したときロック位置に変位し、本体に設けられているロックピンと係合するロック部が形成されているロック部材と、該ロック部材と連結されているとともに該ロック部材がロック位置に変位したとき磁石に吸着される吸着部材とより構成されている。
【０００９】
【実施例】
図面は何れも本発明に関するものであり、図１は摺動基板が着脱位置方向に突出した状態を示す要部の平面図、図２は摺動基板が再生位置にある状態を示す要部の平面図、図３は摺動基板が着脱位置方向に突出した状態を示す要部の拡大平面図である。
【００１０】
図において、１は本体２に対して図２に示した再生位置と矢印Ａ方向に変位した着脱位置との間をガイド機構（図示せず）によって摺動変位可能に設けられているとともにディスクの回転駆動機構が搭載されている摺動基板であり、排出用スプリングＳの付勢力によって再生位置より図１に示す位置まで変位せしめられるように構成されている。
【００１１】
図３において、３は前記摺動基板１に軸４によって回動可能に設けられているとともにスプリング５によって時計方向に回動付勢されている第１制御板であり、摺動基板１の外部に突出せしめられている制御部６が形成されている。７は前記摺動基板１に形成されている規制用突起であり、前記第１制御板３が図３に示す非動作位置にあるとき該第１制御板３と当接し、その回動位置を規制する作用を成すものである。
【００１２】
８は前記摺動基板１に形成されているガイドリブ９及び１０によって図３に示す非動作位置と矢印Ｂ方向へ変位した動作位置との間の変位を可能に設けられているとともに連結ピン１１によって前記第１制御板３と連結されている第２制御板であり、前記第１制御板３の回動変位動作によって変位せしめられるように構成されているとともにその端部には制御片１２が形成されている。
【００１３】
１３は本体２の側壁に設けられている制御突部であり、摺動基板１が再生位置に移動するとき前記第１制御板３形成されている制御部６と当接し、該第１制御板３をスプリング５の付勢力に抗して反時計方向である動作位置に変位せしめる作用を成すものである。１４は本体２の平板部に設けられているロックピン、１５は前記摺動基板１に軸１６によって回動可能に設けられているとともにスプリング１７によって時計方向に回動付勢されているロック部材であり、前記第２制御板８に形成されている制御片１２との当接によりその回動位置が規制されるように構成されている。
【００１４】
１８は前記ロック部材１５に形成されているロック部であり、前記摺動基板１の再生位置への変位に伴って第１制御板３及び第２制御板８が動作位置に変位すると前記ロックピン１４と係合し、該摺動基板１を再生位置に保持する作用を有している。前記ロック部１８には、摺動基板１を再生位置に保持するとき前記ロックピン１４と係合する第１傾斜部１８Ａと該摺動基板１が再生位置に移動するとき該ロックピン１４と当接する第２傾斜部１８Ｂとが形成されている。
【００１５】
１９は前記ロック部材１５に形成されているとともにディスクプレーヤーの外部より挿入される解除部材によって押圧される押圧片であり、その押圧力によってロック部材１５を反時計方向に回動させるように構成されている。２０は連結ピン２１によって前記ロック部材１５と連結されているとともに磁性体よりなる吸着部材、２２は摺動基板１に固定されている磁石であり、前記吸着部材２０が図２に示す位置にあるとき該吸着部材２０を吸着する作用を成すものである。２３は前記磁石２２の近傍に設けられている電磁コイルであり、ロック解除動作時通電され前記磁石２２による吸着力を低減する作用を有している。２４は前記ロック部材１５の端部に設けられている錘であり、該ロック部材１５のバランスをとる作用を成すものである。
【００１６】
斯かる構成において、磁石２２に吸着部材２０が吸着された状態にあるとき、その吸着力によるロック部材１５に対する時計方向への回動変位力によって摺動基板１を再生位置に保持することが出来るようにスプリング５及び１７、そして摺動基板１を再生位置より着脱位置方向へ付勢する排出用スプリングＳの弾性力は設定されている。また、摺動基板１が再生位置にロック保持された状態にあるとき、電磁コイル２３に電流が供給されるとロック部材１５によるロック保持力が低減され、摺動基板１が再生位置より着脱位置方向へ摺動変位するように構成されている。
【００１７】
以上に説明したように本発明は構成されているが、次ぎに動作について説明する。図１に示した状態は、摺動基板１が再生位置より着脱位置方向へ変位した状態を示すものであり、斯かる状態にあるときには、第１制御板３の制御部６は本体２に形成されている制御突部１３と離間した状態にある。従って、斯かる状態にあるときには、第１制御板３はスプリング５の付勢力によって規制用突起７に当接した状態、即ち非動作位置にある。
【００１８】
従って、前記第１制御板３と連結されている第２制御板８も非動作位置にあり、該第２制御板８に形成されている制御片１２との当接によってロック部材１５は非ロック位置に保持された状態にある。図１は、斯かる状態を示すものであり、吸着部材２０は磁石２２より離間した位置にあるため、該磁石２２の吸着力が該吸着部材２０に大きな力として作用することはない。
【００１９】
斯かる状態において、摺動基板１を矢印Ｃ方向、即ち再生位置方向へ手動により押圧すると、該摺動基板１はガイド機構に案内されながら排出用スプリングＳの付勢力に抗して再生位置方向へ変位せしめられる。前記摺動基板１が矢印Ｃ方向へ変位すると、第１制御板３の制御部６が本体２に形成されている制御突部１３に当接し、該制御突部１３より回動変位力を受ける。
【００２０】
斯かる回動変位力を受ける結果、前記第１制御板３は、スプリング５の付勢力に抗して反時計方向へ回動変位せしめられる。前記第１制御板３が反時計方向へ回動変位すると、該第１制御板３と連結されている第２制御板８は図３に示す非動作位置より矢印Ｂ方向である動作位置へ変位せしめられる。前記第２制御板８が動作位置に変位すると、該第２制御板８に形成されている制御片１２が動作位置に変位するため、該制御片１２によって位置が規制されていたロック部材１５がスプリング１７の付勢力によってロック位置方向へ回動変位せしめられる。
【００２１】
図２に示した状態は、摺動基板１が再生位置に摺動変位した状態を示すものであり、ロック部材１５に形成されているロック部１８の第１傾斜部１８Ａがロックピン１４と係合した状態になる。また、前記ロック部材１５が図２に示すロック位置に移動した状態にあるときには、吸着部材２０が磁石２２によって吸着される位置に変位した状態にあり、該吸着部材２０に対して大きな吸着力が作用することになる。従って、ロック部材１５に形成されているロック部１８によるロックピン１４に対する保持力が排出用スプリングＳによる摺動基板１の着脱位置方向へ変位力より大になり、該摺動基板１は図２に示す再生位置にロック保持されることになる。
【００２２】
前述したように摺動基板１を矢印Ｃ方向へ押圧することにより該摺動基板１を再生位置に変位させるとともにロック部材１５によって再生位置にロック保持することが出来るので、ディスクの再生動作を行うことが出来る。斯かる状態において、ディスクの排出操作を行うと、電磁コイル２３に電流が供給されるが、その電流により該電磁コイル２３に誘起される磁力の方向は磁石２２の吸着力を低減する方向になるように設定されている。
【００２３】
前記磁石２２による吸着部材２０に対する吸着力が低下すると、ロック部材１５によるロックピン１４に対するロック保持力が低下することになる。その結果、再生位置に保持されていた摺動基板１が排出用スプリングＳの付勢力によって矢印Ａ方向、即ち着脱位置方向へ変位せしめられる。前記摺動基板１が矢印Ａ方向へ変位すると、第１制御板３の制御部６が本体２に形成されている制御突部１３より離間するため、該第１制御板３はスプリング５の付勢力によって図３に示す非動作位置に回動変位せしめられる。
【００２４】
前記第１制御板３が非動作位置に回動変位すると、該第１制御板３に連結されている第２制御板８も非動作位置に変位せしめられるので、該第２制御板８に形成されている制御片１２のロック部材１５への当接によって該ロック部材１５は図１に示す非ロック位置に保持されることになる。図１に示す状態より摺動基板１を矢印Ａ方向へ引き出すことにより、該摺動基板１を着脱位置まで変位させることが出来るので、ターンテーブル（図示せず）に載置されているディスクを取り出すことが出来る。
【００２５】
ディスクの排出操作を行なうと、前述したように電磁コイル２３に磁石２２の吸着力を低減するための電流が供給され、ロック部材１５による摺動基板１の再生位置におけるロック保持動作が解除される動作が行われるが、次ぎに停電等によって電源供給動作が遮断された場合の排出動作について説明する。電源供給動作が行われない状態にあるときには、排出操作を行っても電磁コイル２３に対して電流が供給されないので、磁石２２の吸着力を低減させることは出来ない。従って、斯かる場合にはロック部材１５による摺動基板１の再生位置におけるロック保持動作を解除することが出来ないことになる。
【００２６】
斯かる場合には、ディスクプレーヤーの前面に形成されている透孔より細長い形状の解除部材を挿入し、その先端部によってロック部材１５に形成されている押圧片１９を矢印Ｃ方向へ押圧することによってロック部材１５による摺動基板１の再生位置におけるロック保持動作を解除することが出来る。即ち、前記押圧片１９を矢印Ｃ方向へ押圧すると、ロック部材１５に対し、軸１６を中心として反時計方向への回転力が作用することになる。斯かる回転力は、前記磁石２２より吸着部材２０を引き離す方向への力として作用するため、該吸着部材２０を磁石２２より引き離すことが出来る。その結果、ロック部材１５によるロックピン１４に対するロック保持力が低下することになり、前述したように摺動基板１は排出用スプリングＳの付勢力によって図１に示す位置まで変位せしめられる。この状態より摺動基板１を矢印Ａ方向へ引き出すことによってディスクを取り出すことが出来る。
【００２７】
【発明の効果】
本発明のディスク装着装置は、ディスクプレーヤーの本体にディスクの着脱位置とディスクの再生位置との間を摺動変位可能に設けられている摺動基板の再生位置における保持動作を行うロック部材のロック位置への変位動作を摺動基板の再生位置方向への変位動作を利用して行うとともにロック位置における保持動作を磁石の吸着力を利用して行うようにしたので、即ちロック部材をロック位置に変位させてその位置に保持させるという簡単な動作によって摺動基板を再生位置に保持するようにしたので、構成が非常に簡単になる。
【００２８】
また、本発明は、ロック部材をロック位置に保持する磁石の近傍に電磁コイルを設け、該電磁コイルへの通電によって磁石の吸着力を低減させることによってロック部材による摺動基板のロック保持動作を解除するようにしたので、ロック解除のために大きな電流を必要を必要としないだけでなく、大きなプランジャーを使用する必要がないので、ディスクプレーヤーの小型化に対して大きな効果を奏するものである。
【００２９】
そして、本発明は、ロック部材に外部より挿入される解除部材により押圧される押圧片を設け、該押圧片への押圧力によってロック部材によるロックを解除することが出来るようにしたので、停電等によって電源供給動作が停止しても支障無くディスクを取り出すことが出来る。
【００３０】
また、本発明は、ロック部材にバランス用の錘を設けたので、該ロック部材の回動動作を円滑に行うことが出来、その結果ロック保持動作及びロック解除動作を安定した状況にて行うことが出来る。
【００３１】
更に、本発明は、制御板を非動作位置方向へ付勢するスプリングを設けるとともに該制御板の動作位置への変位動作を本体に設けられている制御突部との当接によって行うようにしたので、摺動基板が再生位置にあるときスプリングの付勢力によって制御板が本体に対して弾性的に押圧された状態になる。従って、摺動基板の振動が本体によって抑えられることになり、ディスクの回転特性を改善することが出来るという利点を本発明は有している。
【図面の簡単な説明】
【図１】摺動基板が着脱位置方向に突出した状態を示す要部の平面図である。
【図２】摺動基板が再生位置にある状態を示す要部の平面図である。
【図３】摺動基板が着脱位置方向に突出した状態を示す要部の拡大平面図である。
【符号の説明】
１          摺動基板
２          本体
３          第１制御板
８          第２制御板
１３          制御突部
１４          ロックピン
１５          ロック部材
１８          ロック部
１９          押圧片
２０          吸着部材
２２          磁石
２３          電磁コイル
Ｓ          排出用スプリング
【図１】
0003631018.tif 000002
【図２】
0003631018.tif 000003
【図３】
0003631018.tif 000004